(57)【要約】【課題】  黒板表面やホワイトボード表面からチョーク粉やホワイトボードマーカーのインクを効率よく大量に収集でき、払拭部の清掃が容易なイレーサを提供する。【解決手段】  略直方体状の多孔質体と、該多孔質体を取り付ける支持板とにより構成されるイレーサにおいて前記多孔質体の前記支持板を取り付けた面と対向する面の表面に切込みを入れる。または、前記多孔質体が前記支持部材に着脱可能に取り付けられ、前記多孔質体の前記支持部材を取り付けた面と前記支持部材を取り付けた面と対向する面との両面の表面に切込みを入れる。【選択図】        図１
2014091234.tif 000002
【特許請求の範囲】
【請求項１】
略直方体状の多孔質体と、該多孔質体を取り付ける支持部材とにより構成されるイレーサであって
前記多孔質体の前記支持部材を取り付けた面と対向する面の表面に切込みが入れられていることを特徴とするイレーサ。
【請求項２】
請求項１に記載のイレーサにおいて、
前記多孔質体が前記支持部材に着脱可能に取り付けられ、前記多孔質体の前記支持部材を取り付けた面と前記支持部材を取り付けた面と対向する面との両面の表面に切込みが入れられていることを特徴とするイレーサ。
【請求項３】
請求項１又は請求項２のいずれか１項に記載のイレーサにおいて、
前記多孔質体の表面に入れられた切込みが格子状の切込みであることを特徴とするイレーサ。
【請求項４】
請求項１乃至請求項３のいずれか１項に記載のイレーサにおいて、
前記支持部材の前記多孔質体の切込みを入れられた面と略平行に位置する面の、前記多孔質体を取り付ける側に張出し部を備えていることを特徴とするイレーサ。
【請求項５】
請求項４に記載のイレーサにおいて、
前記張出し部の周縁部が略円形又は略楕円形であり、前記張出し部が略球冠状又は略楕円球冠状に成型されていることを特徴とするイレーサ。
【発明の詳細な説明】
【技術分野】
【０００１】
本発明は、黒板やホワイトボードにチョークやマーカーで描かれた文字や図形等を消す際に用いられるイレーサに関する。
【背景技術】
【０００２】
従来、黒板消しとして、フェルトやパイル織物等で被覆した扁平な直方体状のスポンジと、合成樹脂板や木製の板状の支持体で構成されたイレーサが知られている。この黒板消しは、更に手で持つバンド等が付随され、フェルト側を文字の描かれた黒板に当接させて摩擦することにより、文字を構成する白墨の粉を若干吸収しつつ消去する。また、ホワイトボード用においても材質が異なるものの、上記と同様に形成されているのが一般的である。
【０００３】
このため、従来のイレーサでホワイトボード表面の文字等を拭き取ると、文字の色素分及び油分がイレーサでボードの表面に強く押しつけられ、かつこの色素や油分がボード表面の凹部内に入り込み、残ってきれいに拭き取ることができないという問題があった。そこで、従来はイレーサを強く押しつけて何回もふき取ったり、度々ボードクリーナを用いてボードの表面をきれいにクリーニングしたりしなければならないという問題があった。又、前記のとおりイレーサのボードに当接する面がパイル織物である場合、すぐに目詰りが発生してしまうという問題もあった。
【０００４】
そこで、払拭毛を植毛する面の中央に溝を形成すると共にこの溝を中央にして左右に払拭毛を植毛し、且つこの払拭毛の向きを左側のものは左向きに、右側のものは右向きに傾斜させたことを特徴とするホワイトボード用イレーサが知られている（特許文献１）。
【先行技術文献】
【特許文献】
【０００５】
【特許文献１】特公平７−６７８７６号公報
【発明の概要】
【発明が解決しようとする課題】
【０００６】
しかし、前記ホワイトボード用イレーサは十分な拭き取り効果を得るためには拭き取り作業の際にイレーサを所定の方向に動かす必要がある上に、構造が複雑であることから、製作工程が煩雑となりコストが割高であった。
【０００７】
本発明はこのような事情に鑑みてなされたものであり、なるべく少ない拭き取り回数で、黒板やホワイトボード上のチョーク粉やマーカー用インクをきれいに拭き取ることができるような構造を備え、操作が簡単であり、製作コストも割安なイレーサを提供することを目的とする。
【課題を解決するための手段】
【０００８】
このような目的に応えるために本発明（請求項１記載の発明）に係るイレーサは、略直方体状の多孔質体と、該多孔質体を取り付ける支持部材とにより構成されるイレーサであって、前記多孔質体の前記支持部材を取り付けた面と対向する面の表面に切込みが入れられていることを特徴とする。
【０００９】
このような構成によれば、前記多孔質体の前記支持部材を取り付けた面と対向する面をホワイトボードに当接させて拭き取り作業を行う際に、該当接面とホワイトボード表面との摩擦により、前記多孔質体の前記当接面に施された切込みが広がり、ホワイトボード上のマーカー用インク上を前記切込みが通過する度に新たに拭き取り効果が発揮されることになり、一度の拭き取り作業を行うだけで複数回の拭き取り作業を行ったのと同じ拭き取り効果を得ることができる。
【００１０】
本発明（請求項２記載の発明）に係るイレーサは、請求項１記載のイレーサにおいて、前記多孔質体が前記支持部材に着脱可能に取り付けられ、前記多孔質体の前記支持部材を取り付けた面と前記支持部材を取り付けた面と対向する面との両面の表面に切込みが入れられていることを特徴とする。
【００１１】
このような構成によれば、前記多孔質体のホワイトボードへの当接面に汚れが溜まって十分な拭き取り効果が得られなくなった場合に、前記多孔質体を反転させて取り付け直すことで容易にきれいな面をホワイトボードに当接するようにすることができる上に、前記多孔質体の両面を使用することができるので、多孔質体を無駄なく活用することができる。
【００１２】
本発明（請求項３記載の発明）に係るイレーサは、請求項１乃至請求項２のいずれか１項に記載のイレーサにおいて、前記多孔質体の表面に入れられた切込みが格子状の切込みであることを特徴とする。
【００１３】
このような構成によれば、前記多孔質体の製造工程における切込みを入れる作業が単純なものとなり、製造コストの軽減を図ることができる。
【００１４】
本発明（請求項４記載の発明）に係るイレーサは、請求項１乃至請求項３のいずれか１項に記載のイレーサにおいて、前記支持部材の前記多孔質体の切込みを入れられた面と略平行に位置する面の、前記多孔質体を取り付ける側に張出し部を備えていることを特徴とする。
【００１５】
このような構成によれば、前記多孔質体に施された切込みが前記張り出し部に押し出されることにより広がり、前期当接面をホワイトボード表面に強く押し付けなくても、切込みが広がって一度の拭き取り作業で複数回の拭き取り効果をさらに容易に得ることができる。
【００１６】
本発明（請求項４記載の発明）に係る折りたたみ式収納箱は、請求項４に記載のイレーサにおいて、前記張出し部の周縁部が略円形又は略楕円形であり、前記張出し部が略球冠状又は略楕円球冠状に成型されていることを特徴とする。
【００１７】
このような構成によれば、前記多孔質体に施された切込みがさらになめらかに広がり、前期当接面をホワイトボード表面に強く押し付けなくても、切込みが広がって一度の拭き取り作業で複数回の拭き取り効果をさらに容易に得ることができる。
【００１８】
そして、上記いずれの構造であっても、イレーサをホワイトボードに当接させてからどの方向に滑らせても前記当接面に設けられた切込みは広がるので、一度の拭き取り作業で複数回の拭き取り効果を得ることができる。
【発明の効果】
【００１９】
以上説明したように本発明に係るイレーサによれば、なるべく少ない拭き取り回数で、黒板やホワイトボード上のチョーク粉やマーカー用インクをきれいに拭き取ることができるような構造を備え、操作が簡単であり、製作コストも割安なイレーサを提供することができるという優れた効果がある。
【図面の簡単な説明】
【００２０】
【図１】本発明に係るイレーサの一実施例を示し、イレーサのホワイトボードへの当接面を上に向けて置いた状態の斜視図である。
【図２】図１のイレーサを矢印方向に滑らせて使用した状態における切込みを施した当接面の状態を示す図である。
【図３】本発明に係るイレーサの他の実施例を示し、イレーサの支持部材を上に向けて置いた状態の斜視図である。
【図４】図３におけるイレーサの側面図である。
【図５】図３におけるＡ方向から見た図である。
【図６】図３におけるＡ−Ａ断面図である。
【図７】本実施例における、イレーサのホワイトボードへの当接面を上に向けて置いた状態の斜視図である。
【発明を実施するための形態】
【００２１】
本発明は以上のような構成であるので、これを図面に基づきながら本発明の実施の形態を説明する。
【実施例】
【００２２】
図１乃至図２は本発明に係るイレーサの一実施例を示す。
これらの図において、全体を符号１０で示すものは本発明を特徴づけるイレーサである。
【００２３】
図１において、符号１１は、本発明に係るイレーサ１０を構成する多孔質体であり、該イレーサ１０はこの多孔質体１１に支持部材２１を装着することにより構成される。
【００２４】
前記多孔質体１１には、ホワイトボードとの当接面１２に切込み１３が施され、前記支持部材２１は略直方体状で底面部を開口部とする形状であり、該開口部に前記多孔質体１１を嵌め込んで使用する。開口部の長方形の長辺を含む側面には把持部２２が設けられている。
【００２５】
図２において、使用者が把持部２２に指をかけて前記イレーサ１０を図面右側の方向にホワイトボード上を滑らせた場合、摩擦により切込み１３が開き、切込みによる溝とホワイトボードとの当接面とのエッジ部がマーカー用インクを繰り返しかき取ることにより、イレーサ１０によりホワイトボード上のマーカー用インクを少ない回数の操作でも十分に拭き取ることができる。
【００２６】
図３乃至図６は本発明に係るイレーサの他の実施例を示す。
これらの図において、全体を符号３０で示すものは本発明を特徴づけるイレーサである。
【００２７】
図３において、支持部材４１の上面の中央部に略楕円形の張り出し部４３が設けられ、前記支持部材は略直方体で下底部を開口部とし、前記張り出し部４３はその周縁部が略楕円形であり略楕円冠球状の形状で上面から開口部側に張り出している。
【００２８】
図４は前記イレーサ３０の側面図であり、Ａ方向からイレーサ３０を見ると図５のような形状となる。
【００２９】
図６は図４におけるＡ−Ａ断面図であり、支持部材４１の上面側から開口部側に張り出し部４３を設けることにより、多孔質体３１に施された切込み３３による多孔質体の溝が押し広げられ、これによりイレーサの拭き取り動作がなくてもエッジ部が現れている。
【００３０】
図７において前記イレーサ３０のホワイトボードへの当接面を上にした状態では、当接面３２全体にわたり切込み３３による溝が広がっているので、この状態のイレーサ３０でホワイトボード上のマーカー用インクを拭き取ると、一度の拭き取り動作で何度もエッジ部３４がマーカー用インクを拭き取ることになる。
【００３１】
このような形状のイレーサを用いると、ホワイトボード表面にこびりついたマーカー用インクを少ない拭き取り回数できれいに取り去ることができ、その際にイレーサを動かす方向は限定されることはなく、簡単な構造であるため製造工程も少ないので製作コストも割安となる。
【００３２】
多孔質体３１にメラミン発泡樹脂を使用すると、多孔質体３１を支持部材４１から取り外して洗う際に洗剤を使用しなくてもよく、乾かせば何度も使用が可能であるので、環境に対する負荷も少ない。
【００３３】
なお、本考案は上述した実施の形態で説明した構造には限定されず、各部の形状、構造等を適宜変形、変更し得ることはいうまでもない。
例えば、上述した実施形態では、多孔質体は略直方体であるが、これを略楕柱状、三角柱等の多角柱状または底面が星型の柱状等様々な形状としてもよい。
さらに、多孔質体に入れられた切込みは、例えばＷ字体状切り込みを連続させた形状やそれらが交差した形状等種々の不規則な形状としてもよい。
また、用途についても、ホワイトボード用のイレーサに限定されることなく、タイヤ、壁面、ガラス、冷蔵庫等インテリアやエクステリアの様々な用途の清掃に使用することができる。
【符号の説明】
【００３４】
１０  イレーサ
１１  多孔質体
１２  当接面
１３  切込み
１４  エッジ部
２１  支持部材
２２  把持部
３０  イレーサ
３１  多孔質体
３２  当接面
３３  切込み
３４  エッジ部
４１  支持部材
４２  把持部
４３  張り出し部
【図１】
2014091234.tif 000003
【図２】
2014091234.tif 000004
【図３】
2014091234.tif 000005
【図４】
2014091234.tif 000006
【図５】
2014091234.tif 000007
【図６】
2014091234.tif 000008
【図７】
2014091234.tif 000009